(57)【特許請求の範囲】
【請求項１】
洗面ボウルを備えた洗面台本体の上面の後端部から立ち上がり壁を立設すると共に、立ち上がり壁の上端面にキャビネットの底壁の後端部を載置固定し、立ち上がり壁の上端部の前側に吐水口を配設すると共に、キャビネットの底壁の下面に、上記洗面ボウル全体を照らして且つ洗面ボウルに吐水口及び洗面化粧台関連部材の影が形成されないように、上下方向において吐水口及び洗面化粧台関連部材と同じまたは近接した位置で、且つ、水平方向において吐水口及び洗面化粧台関連部材から離れた位置に手元照明を設けて成ることを特徴とする洗面化粧台。
【請求項２】
立ち上がり壁の上端部の左右方向略中央部の前側に吐水口を配設すると共に、キャビネットの底壁の下面であって吐水口の左右方向の側方に手元照明を設けて成ることを特徴とする請求項１記載の洗面化粧台。
【発明の詳細な説明】
【技術分野】
【０００１】
本発明は、洗面台本体上に立設した立ち上がり壁にキャビネットを載置固定した洗面化粧台に関するものである。
【背景技術】
【０００２】
従来より、洗面台本体上に立設した立ち上がり壁にキャビネットを載置固定した洗面化粧台が知られている（例えば特許文献１参照）。これは、洗面ボウルを備えた洗面台本体の上面の後端部から立ち上がり壁を立設し、この立ち上がり壁の上端面にキャビネットの下面の後端部を載置固定して主体が構成してある。
【０００３】
そして、立ち上がり壁の上端部の前側に吐水口（カラン）を配設すると共に、キャビネットの下面に手元照明を配設して、手元照明により洗面ボウルを照らすものである。
【特許文献１】特開２００１−７８９０９号公報
【発明の開示】
【発明が解決しようとする課題】
【０００４】
しかしながら、この従来の洗面化粧台にあっては、吐水口の上方に手元照明が配設してあるため、手元照明からの光が吐水口に遮られて、洗面ボウルに吐水口の影が形成されてしまい、洗面ボウル全体を照らすことができないと共に見栄えが悪いものであった。
【０００５】
本発明は上記従来の問題点に鑑みて発明したものであって、その目的とするところは、光が遮られることなく洗面ボウル全体を照らすことができると共に影が形成されずに見栄えが良い洗面化粧台を提供することを課題とするものである。
【課題を解決するための手段】
【０００６】
上記課題を解決するために請求項１に係る洗面化粧台にあっては、洗面ボウル１１を備えた洗面台本体１の上面の後端部から立ち上がり壁２を立設すると共に、立ち上がり壁２の上端面にキャビネット３の底壁３０の後端部を載置固定し、立ち上がり壁２の上端部の前側に吐水口４０を配設すると共に、キャビネット３の底壁３０の下面に、上記洗面ボウル１１全体を照らして且つ洗面ボウル１１に吐水口４０及び洗面化粧台関連部材の影が形成されないように、上下方向において吐水口４０及び洗面化粧台関連部材と同じまたは近接した位置で、且つ、水平方向において吐水口４０及び洗面化粧台関連部材から離れた位置に手元照明５を設けて成ることを特徴とするものである。
【０００７】
このような構成とすることで、洗面ボウル１１全体を照らすことができて、洗面ボウル１１全体が均一に良好に見えると共に、影が形成されないため見栄えが良いものである。
【０００８】
また、請求項２に係る発明は、請求項１に係る発明において、立ち上がり壁２の上端部の左右方向略中央部の前側に吐水口４０を配設すると共に、キャビネット３の底壁３０の下面であって吐水口４０の左右方向の側方に手元照明５を設けて成ることを特徴とするものである。
【０００９】
このような構成とすることで、吐水口４０を左右方向略中央部に設けたものにおいて、手元照明を吐水口４０を設ける位置から側方にずらして吐水口４０の影が形成されない位置に設けることができる。
【発明の効果】
【００１０】
本発明にあっては、立ち上がり壁の前側に吐水口及び洗面化粧台関連部材が設けてあっても、洗面ボウルに影が形成されないため、洗面ボウル全体を照らすことができて、洗面ボウル全体が均一に良好に見えると共に、影が形成されないため見栄えが良いものである。
【発明を実施するための最良の形態】
【００１１】
以下、本発明について添付図面に基づいて説明する。
【００１２】
図７、図８に示すように洗面化粧台は、洗面ボウル１１を備えた洗面台本体１の上面の後端部から立ち上がり壁２を立設すると共に、立ち上がり壁２の上端面にキャビネット３（本実施形態ではミラー３４を備えたミラーキャビネット３）の底壁３０の下面の後端部を載置固定し、キャビネット３と立ち上がり壁２と洗面台本体１の後背面を壁面に沿わせて設置される。立ち上がり壁２の上端部の前側であって、キャビネット３の底壁３０の下面の左右方向略中央部の下側に隣接して、カランやシャワーヘッド等からなる吐水口４０が配設してあり、また、立ち上がり壁２の上端部の前側であって、キャビネット３の底壁３０の下面の下側の吐水口４０の側方（図示の例では右側）には、洗面化粧台関連部材として湯水混合水栓の操作部４１（本実施形態ではレバー）が設けてある。これら吐水口４０及び操作部４１は、平面視においてキャビネット３の内部に位置しており、キャビネット３から吐水口４０及び操作部４１が突出するのが見えるのを回避し、外観の向上を図っている。吐水口４０には給水管及び給湯管（図示せず）が湯水混合水栓を介して接続され、操作部４１の左右の回動操作により吐出する水温を調節すると共に操作部４１の前後の回動操作により吐出する水量を調節する。
【００１３】
また、キャビネット３は、上端部に配置される照明部３２と、上記照明部３２の下方位置に配置されて前面にミラー３４を貼着した扉体３３と、上記扉体３３の後方部分に棚を架設して収納スペースを設けた収納部３５とを備えている。照明部３２の前面と、キャビネット３の前面に配置される扉体３３の前面（ミラー３４の前面）とは略面一状となっており、照明部３２がキャビネット３の前面から突出するのを回避して、外観の向上を図っている。
【００１４】
また、キャビネット３の底壁３０の下面には、図１に示すように手元照明５が設けてある。本実施形態では、手元照明５は、立ち上がり壁２の上端部の前側であって、キャビネット３の底壁３０の下面の吐水口４０からみて操作部４１を設けた側と反対側の側方（すなわち図示の例では左側）に設けてある。
【００１５】
この手元照明５は、図２乃至図４に示すように、ＬＥＤを有する発光部９を内部に収容したケース６をキャビネット３の底壁３０の下面に埋設した状態で取り付けられる。ケース６は、ＡＢＳ等の合成樹脂からなるケース本体７及びケースカバー８で主体が構成される。ケース本体７は、図５に示すように、平面視略円形状をした本体円筒部７１と、本体円筒部７１の上端部を閉塞する蓋部７２と、本体円筒部７１の下端部から外周に連設される本体フランジ部７３とを備え、下方に開口するものである。本体円筒部７１の内面には雌ねじ７１ａ（図示せず）が螺設してある。また、本体円筒部７１の上端部及び蓋部７２の一部に配線用開口７４が形成してあり、この配線用開口７４を配線が挿通される。また、ケース本体７の内部の天面（すなわち蓋部７２の下面）には、発光部９を係止するための係止突起７５が突設してある。係止突起７５は、ケース本体７の内部の略円形状をした天面の一直径上の両端部付近にそれぞれ一対ずつ計二対形成してある。一対の係止突起７５は、間隔をあけて蓋部７２の天面から下方に突出すると共に、先端部において、互いに対向している部分と反対側の部分に突出する突部７５ａがそれぞれ形成してある。このケース本体７にはケースカバー８が装着される。
【００１６】
ケースカバー８は、図６に示すように、平面視略円形状をしたカバー円筒部８１と、カバー円筒部８１の下端部を閉塞し内部に光透過部としての開口８０を有する覆い部８２と、カバー円筒部８１の下端部近傍から外周に連設されるカバーフランジ部８３とを備え、上記ケース本体７の下方への開口７０を閉塞するものである。光透過部としての開口８０には、合成樹脂やガラス等からなる透明な部材８４が配設されて水が浸入し得る隙間を閉塞する。カバー円筒部８１は、外径がケース本体７の本体円筒部７１の内径より若干大きく形成してあると共に外面に雄ねじ８１ａ（図示せず）が螺設してあり、ケース本体７の本体円筒部７１内に螺入して固定して、ケース６に組み上げる。前記固定状態では、本体フランジ部７３とカバーフランジ部８３とはパッキンＰ１を介して圧接される。なお、パッキンＰ１としてはＰＥ（ポリエチレン）シートを打ち抜いて略円環状に形成する。このカバーフランジ部８３の下面及び、カバー円筒部８１のカバーフランジ部８３を連設した部分よりも下側の部分は、キャビネット３から露出する化粧部となる。
【００１７】
発光部９は、ＬＥＤからなる発光素子９１を発光部ケース９０に収容して構成される。発光部ケース９０は、本実施形態では略矩形箱状をしたもので、ケースカバー８をケース本体７に嵌め込んで組み上げたケース６の内部、すなわち平面視においてカバー円筒部８１の内部に収容され且つ、側面視においてケース６の蓋部７２及び覆い部８２の間に収容される大きさとするものである。
【００１８】
発光部ケース９０には、図３に示すように、ケース本体７の内部の天面に形成した係止突起７５と係止する係止孔９２が形成してある。係止孔９２は、内径を前記一対の係止突起７５の互いに対向する面と反対側の面間の距離と略同じにしておき、一対の係止突起７５を前記係止孔９２に挿入した時、係止突起７５の先端部に形成した突部７５ａが係止孔９２の縁に当接して係止突起７５が近づく方向に撓み、突部７５ａが係止孔９２を通過すると係止突起７５の弾性により一対の係止突起７５は元の状態となるように離れて両突部７５ａが外側に開き、係止孔９２の縁に係止されて発光部ケース９０がケース６の蓋部７２に固定される。
【００１９】
ケース６の組み上げは、まずケース本体７に発光部ケース９０を係止突起７５及び係止孔９２の係止により固定した状態で、ケース本体７にケースカバー８を嵌め込んで固定して行うもので、この時、発光部ケース９０とケースカバー８との間にパッキンＰ２を介在させる。なお、パッキンＰ２としてはＰＥ（ポリエチレン）シートを打ち抜いて略円環状に形成する。
【００２０】
キャビネット３の底壁３０の下面の手元照明５を設ける部分には、ケース６の本体円筒部７１の外径と略同じ丸孔からなる貫通孔３１を形成しておき、キャビネット３の底壁３０の貫通孔３１の周縁の上面にケース本体７の本体フランジ部７３を載置して本体円筒部７１内と貫通孔３１を連通させた状態で、ケースカバー８のカバー円筒部８１を貫通孔３１の下方より本体円筒部７１内に螺入して、ケースカバー８のカバーフランジ部８３をキャビネット３の底壁３０の貫通孔３１の周縁の下面に当接させ、本体フランジ部７３とカバーフランジ部８３とでキャビネット３の底壁３０を挟持して固定している。
【００２１】
また、キャビネット３の底壁３０の下面の手元照明５の側方（図示の例では左側）には、洗面化粧台関連部材として、コンセントや照明部３２及び手元照明５の電源スイッチ等を収容した略矩形状の箱体４２が垂下してある。
【００２２】
上述した洗面化粧台においては、手元照明５の照射範囲（図１中のＡ）、すなわち、手元照明５と洗面ボウル１１の任意の箇所とを結ぶ線上に、吐水口４０や、操作部４１及び箱体４２をはじめとする洗面化粧台関連部材が位置しないため、手元照明５から照射される光が洗面ボウル１１に到達するまでに遮られることがなく、吐水口４０や洗面化粧台関連部材の影が洗面ボウル１１に形成されないものである。これにより、洗面ボウル１１全体を照らすことができて、洗面ボウル１１全体が均一に良好に見えると共に、影が形成されないため見栄えが良いものである。
【００２３】
また、ケース本体７とケースカバー８とでキャビネット３の底壁３０を挟持して固定するにあたって、ケースカバー８のカバーフランジ部８３をキャビネット３の底壁３０の貫通孔３１の周縁の下面にパッキンＰ１を介して当接させて確実に防水を行うことが可能となるものである。またこの時、ケース本体７とケースカバー８とを螺合によって容易に連結することが可能となって取り付けが容易に行えると共に、キャビネット３の底壁３０には貫通孔３１を形成するだけで済んで、複雑な加工が不要となる。
【００２４】
また、ケース本体７をキャビネット３内に収容し、ケースカバー８をキャビネット３の外側（底壁３０の下面側）から取り付けるため、キャビネット３の下面からの出を小さく抑えることができて、見栄えが良いものである。
【図面の簡単な説明】
【００２５】
【図１】本発明の一実施形態の手元照明の照射範囲を説明するキャビネット、立ち上がり壁、洗面ボウルの正面図である。
【図２】同上の要部の側断面図である。
【図３】同上の手元照明の分解斜視図である。
【図４】同上の手元照明のケースの組み立て状態を示し、（ａ）は上面図であり、（ｂ）は背面図であり、（ｃ）は下面図であり、（ｄ）は側面図であり、（ｅ）は（ａ）のＡ−Ａ断面図であり、（ｆ）は（ｂ）のＢ−Ｂ断面図である。
【図５】同上の手元照明のケース本体を示し、（ａ）は上面図であり、（ｂ）は背面図であり、（ｃ）は下面図であり、（ｄ）は側断面図である。
【図６】同上の手元照明のケースカバーを示し、（ａ）は上面図であり、（ｂ）は背面図であり、（ｃ）は下面図であり、（ｄ）は側断面図である。
【図７】同上の洗面化粧台の全体斜視図である。
【図８】同上の洗面化粧台を示し、（ａ）は正面図であり、（ｂ）は側断面図である。
【符号の説明】
【００２６】
１    洗面台本体
１１  洗面ボウル
２    立ち上がり壁
３    キャビネット
３０  底壁
４０  吐水口
５    手元照明
６    ケース
７    ケース本体
８    ケースカバー
９    発光部
【図１】
0004893556.tif 000002
【図２】
0004893556.tif 000003
【図３】
0004893556.tif 000004
【図４】
0004893556.tif 000005
【図５】
0004893556.tif 000006
【図６】
0004893556.tif 000007
【図７】
0004893556.tif 000008
【図８】
0004893556.tif 000009